(57)【要約】【課題】無端搬送部に対して挟扼ガイドレールを非作用位置へ移動可能にすると共に、無端搬送部と挟扼ガイドレールとの位置関係を調整可能なコンバインを提供する。【解決手段】搬送装置（６２）は、無端搬送部６２０と、無端搬送部６２０と共に穀稈を挟む作用位置と、無端搬送部６２０から離間する非作用位置とに移動可能な挟扼ガイドレール６２１を支持する支持部６２２と、無端搬送部６２０を支持する固定フレーム６２４と、を有する。支持部６２２は、無端搬送部６２０に対する挟扼ガイドレール６２１の位置を調節可能に固定フレーム６２４に取り付けられる。挟扼ガイドレール６２１は、所定の操作具６２５の操作に伴って作用位置から非作用位置に移動可能に構成されている。【選択図】図９
2020080721.tif 000002
【特許請求の範囲】
【請求項１】
穀稈を搬送する搬送装置を備え、
前記搬送装置は、
前記穀稈を搬送する無端搬送部と、
前記無端搬送部と共に穀稈を挟む作用位置と、前記無端搬送部から離間する非作用位置とに移動可能な挟扼ガイドレールを支持する支持部と、
前記無端搬送部を支持する固定フレームと、を有し、
前記支持部は、前記無端搬送部に対する前記挟扼ガイドレールの位置を調節可能に前記固定フレームに取り付けられ、
前記挟扼ガイドレールは、所定の操作具の操作に伴って前記作用位置から前記非作用位置に移動可能に構成されている、コンバイン。
【請求項２】
前記操作具が連結され且つ前記挟扼ガイドレールの前記非作用位置への移動を規制するストッパを備え、
前記ストッパは前記支持部に回転可能に支持されており、
前記ストッパを前記支持部に対して回転移動させることに伴って前記挟扼ガイドレールが前記作用位置から前記非作用位置に移動可能になる、請求項１に記載のコンバイン。
【請求項３】
前記挟扼ガイドレールを前記無端搬送部に向けて付勢するバネと、前記バネの足場となるベース部材と、を有し、
前記ストッパは、前記ベース部材よりも前記無端搬送部から遠ざかる遠位側に位置することで、前記挟扼ガイドレールの前記非作用位置への移動を規制し、
前記ベース部材は、前記挟扼ガイドレールが前記非作用位置から前記作用位置への復帰する際に、前記ストッパを前記ベース部材の前記遠位側に案内する案内部を有する、請求項２に記載のコンバイン。
【発明の詳細な説明】
【技術分野】
【０００１】
本開示は、コンバインに関する。
【背景技術】
【０００２】
刈り取られた穀稈を搬送する搬送装置に穀稈の詰まりが発生した場合には、穀稈の詰まりを除去する必要がある。
【０００３】
特許文献１には、無端搬送チェーンと挟扼ガイドレールとで挟持した穀稈を搬送する搬送装置が開示されている。穀稈の詰まりが発生した場合に、無端搬送チェーンに対して挟扼ガイドレールを完全に取り外してしまうと、その後、挟扼ガイドレールを取り付ける作業が煩雑になる。特許文献１では、挟扼ガイドレールを支持するレール支持台を、無端搬送チェーンに近接する作用位置と無端搬送チェーンから離間する非作用位置とに亘ってスライド移動可能に構成されている。
【先行技術文献】
【特許文献】
【０００４】
【特許文献１】特開２００４−１１３１８７号公報
【発明の概要】
【発明が解決しようとする課題】
【０００５】
しかしながら、特許文献１に記載の搬送装置は、レール支持台が作用位置にある場合に、無端搬送チェーンと挟扼ガイドレールの位置関係が固定されるので、組み付け誤差を解消するのが難しい。
【０００６】
本開示は、このような課題に着目してなされたものであって、その目的は、無端搬送部に対して挟扼ガイドレールを非作用位置へ移動可能にすると共に、無端搬送部と挟扼ガイドレールとの位置関係を調整可能なコンバインを提供することである。
【課題を解決するための手段】
【０００７】
本開示に係るコンバインは、
穀稈を搬送する搬送装置を備え、
前記搬送装置は、
前記穀稈を搬送する無端搬送部と、
前記無端搬送部と共に穀稈を挟む作用位置と、前記無端搬送部から離間する非作用位置とに移動可能な挟扼ガイドレールを支持する支持部と、
前記無端搬送部を支持する固定フレームと、を有し、
前記支持部は、前記無端搬送部に対する前記挟扼ガイドレールの位置を調節可能に前記固定フレームに取り付けられ、
前記挟扼ガイドレールは、所定の操作具の操作に伴って前記作用位置から前記非作用位置に移動可能に構成されている。
【０００８】
この構成によれば、穀稈の詰まりが生じた場合に操作具を操作するだけで、挟扼ガイドレールが無端搬送部から離れるので、挟扼ガイドレールを完全に取り外す場合に比べてメンテナンスが容易となる。それでいて、無端搬送部に対する挟扼ガイドレールの位置を調整可能であるので、組み付け誤差を解消するように調整可能となる。
【図面の簡単な説明】
【０００９】
【図１】コンバインの左側面図
【図２】刈取部の平面図
【図３】刈取部の概略側面図
【図４】挟扼ガイドレールが作用位置にある縦搬送装置の斜視図
【図５】挟扼ガイドレールが作用位置にある縦搬送装置の平面図
【図６】挟扼ガイドレールが作用位置にある縦搬送装置を搬送下流側から見た側面図
【図７】挟扼ガイドレールが非作用位置にある縦搬送装置の斜視図
【図８】挟扼ガイドレールが非作用位置にある縦搬送装置の平面図
【図９】挟扼ガイドレールが非作用位置にある縦搬送装置を搬送下流側から見た側面図
【図１０】挟扼ガイドレールが非作用位置にある縦搬送装置を搬送下流側及び上方から見た斜視図
【図１１】挟扼ガイドレールが非作用位置にある縦搬送装置を搬送上流側側及び下方から見た斜視図
【発明を実施するための形態】
【００１０】
本開示に係るコンバインの一例について説明する。
【００１１】
［コンバインの全体構造］
まずは、図１を参照して、コンバインの全体構造について簡単に説明する。図１は、本実施形態のコンバイン１の左側面を示す。図中には、コンバイン１の前後方向及び上下方向を矢印で示している。
【００１２】
コンバイン１は、走行部２、刈取部３、脱穀部４、選別部５、貯留部６、排藁処理部７、動力部８及び操縦部９を備える。コンバイン１は、走行部２によって走行しながら、刈取部３によって刈り取った穀稈を脱穀部４で脱穀し、選別部５で穀粒を選別して貯留部６に貯える。脱穀後の排藁は排藁処理部７によって処理される。動力部８は、これらの走行部２や刈取部３、脱穀部４、選別部５、貯留部６、排藁処理部７に動力を供給する。オペレータは、操縦部９においてコンバイン１を操縦する。
【００１３】
走行部２は、走行機体１０と、左右一対のクローラ１１とを備える。走行機体１０は、クローラ１１によって支持されている。クローラ１１は、コンバイン１を前後方向に走行させたり、左右方向に旋回させたりする。刈取部３は、走行機体１０の前方に設けられている。刈取部３は、圃場に植立している複数条の穀稈を刈り取って脱穀部４に供給する。刈取部３は、走行機体１０の前端部に連結された油圧シリンダ１２によって昇降自在に構成されている。
【００１４】
脱穀部４は、刈取部３の後方に設けられている。脱穀部４は、フィードチェーン１３と、扱胴１４とを備える。フィードチェーン１３は、刈取部３の後方であって、脱穀部４の左部に設けられている。フィードチェーン１３は、刈取部３から穀稈を受け継ぎ、その穀稈を脱穀部４から排藁処理部７へと搬送する。扱胴１４は、フィードチェーン１３によって搬送される穀稈を脱穀する。フィードチェーン１３及び扱胴１４は、それぞれサイドカバー１５及び藁押え台カバー１６によって左側から覆われている。
【００１５】
選別部５は、脱穀部４の下方に設けられている。選別部５は、揺動選別装置１７と、風選別装置１８とを備える。揺動選別装置１７は、脱穀部４から落下した脱穀物を穀粒と藁屑等に選別する。風選別装置１８は、揺動選別装置１７に選別風を供給し、揺動選別装置１７と共に脱穀物を穀粒と藁屑等に選別する。選別された穀粒は、図示しない穀粒回収機構により回収されて貯留部６へと搬送される。選別された藁屑等は、排藁処理部７を介して機外に排出される。
【００１６】
貯留部６は、脱穀部４の右側に設けられている。貯留部６は、グレンタンク１９と、排出装置２０とを備える。グレンタンク１９は、選別部５から搬送されてきた穀粒を貯留する。排出装置２０は、後端部（穀粒の搬送上流側の基端部）を中心として先端部を上下左右方向に回動自在に構成されており、グレンタンク１９に貯留されている穀粒を任意の場所に排出できる。
【００１７】
排藁処理部７は、脱穀部４の後方に設けられている。排藁処理部７は、フィードチェーン１３により搬送された穀稈を切断して排出する。動力部８は、選別部５の右側に設けられている。動力部８は、動力を発生させるエンジン２１を備える。動力部８は、エンジン２１の代わりに電動モータを備えてもよく、エンジン２１と電動モータの双方を備えていてもよい。
【００１８】
操縦部９は、動力部８の上方に設けられている。操縦部９は、運転席２２と、ハンドル２３を含む複数の操作具とを備える。運転席２２は、オペレータが着座する座席である。ハンドル２３は、コンバイン１の進行方向を変更する操向ハンドルである。オペレータは、運転席２２に着座した状態でハンドル２３などの複数の操作具を操作することにより、コンバイン１を操縦できる。
【００１９】
［刈取部］
次に、刈取部３の構成について説明する。図２，３に示すように、刈取部３は、分草板３１、引起装置３２、掻込装置３３、切断装置３４及び搬送装置３５を備える。
【００２０】
刈取部３の先端には、五条分となる六つの分草板３１が設けられている。各分草板３１は、前方に向かって尖った先端形状を有する。分草板３１は、刈り取られる穀稈と圃場に残される穀稈とを分離するとともに、刈り取られる穀稈を一条毎に分離して引起装置３２に案内する。
【００２１】
引起装置３２は、分草板３１によって一条毎に分離された穀稈を引き起こす。引起装置３２は、分草板３１の後方に配置されている。引起装置３２は、五条分となる五つの引起ケース３６を有する。各引起ケース３６は、その上端部が下端部よりも後方に位置するように水平を基準に前傾（垂直を基準に後傾）し、左右方向に間隔を設けて並べられている。引起ケース３６は、タイン３７が形成されたタイン付きチェーン３８を回転駆動可能に支持する。
【００２２】
掻込装置３３は、引起装置３２によって引き起こされた穀稈の株元を掻き込む。掻込装置３３は、引起装置３２の後方に配置されている。掻込装置３３は、五条分となる五つの掻込機構４０を有する（図３参照）。掻込機構４０は、その前端部が後端部よりも下方に位置するように水平を基準に前傾（垂直を基準に後傾）し、左右方向に間隔を設けて並べられている。
【００２３】
切断装置３４は、掻込装置３３によって掻き込まれた穀稈を切断する。切断装置３４は、掻込装置３３の下方に設けられている。切断装置３４は、穀稈を切断するための刈刃３９を有する。
【００２４】
搬送装置３５は、切断装置３４によって切断された穀稈を後方へ搬送する。搬送装置３５は、上部搬送装置６０、下部搬送装置６１、縦搬送装置６２及び補助搬送装置６３を備える。上部搬送装置６０、下部搬送装置６１、縦搬送装置６２及び補助搬送装置６３は、それぞれ前端部が後端部よりも下方に位置するように水平を基準に前傾（垂直を基準に後傾）している。上部搬送装置６０は、刈り取られた穀稈の穂部を後方へ搬送する。下部搬送装置６１は、刈り取られた穀稈の株元を後方へ搬送する。下部搬送装置６１は、上部搬送装置６０の下方に配置されている。
【００２５】
縦搬送装置６２は、下部搬送装置６１から受け継いだ穀稈の株元を後上方へ搬送する。縦搬送装置６２は、下部搬送装置６１の後上方に配置されている。縦搬送装置６２は、上下方向に沿って移動可能に構成されており、図１では最も下方に位置している。穀稈の長さに合わせて縦搬送装置６２の位置を変更することで、最適な搬送姿勢を保つことができる。補助搬送装置６３は、縦搬送装置６２から受け継いだ穀稈の株元を後上方へ搬送する。補助搬送装置６３は、縦搬送装置６２の後上方に配置されている。
【００２６】
また、刈取部３には、刈取フレーム７０が設けられている。刈取フレーム７０は、刈取入力ケース７１、縦伝動ケース７２、横伝動ケース７３、分草フレーム７４、フレームパイプ７５、引起縦伝動ケース７６、縦連結フレーム７７、引起横伝動ケース７８、引起駆動ケース７９及び中搬送駆動ケース８０を備える。
【００２７】
刈取入力ケース７１は、刈取部３の後部に配置され、脱穀部４の前方において左右方向に延在している。クローラ１１の上方には、左右一対の支持フレーム８１が設けられている。各支持フレーム８１の上部には、割パイプ受部材８２が設けられている。刈取入力ケース７１の両端部は、割パイプ受部材８２を介して左右の支持フレーム８１の上部に回転自在に且つ着脱自在に支持されている。刈取入力ケース７１の中間部には、補助搬送装置６３を支持する右搬送駆動ケース８３が接続されており、その補助搬送装置６３の上方に右穂部搬送機構６０Ｒが支持されている。
【００２８】
縦伝動ケース７２は、その上端部が下端部よりも後方に位置するように水平を基準に前傾（垂直を基準に後傾）している。縦伝動ケース７２の上端部は、刈取入力ケース７１の中間部に接続されている。縦伝動ケース７２の中間部は、油圧シリンダ１２を介して走行機体１０に連結されている。油圧シリンダ１２を伸縮させると、刈取入力ケース７１を支点として縦伝動ケース７２が回転し、それによって刈取部３が昇降する。縦伝動ケース７２の下端部は、横伝動ケース７３の中間部に接続されている。
【００２９】
横伝動ケース７３は、左右方向に延在している。横伝動ケース７３の軸線方向は、刈取入力ケース７１の軸線方向に対して略平行であり、縦伝動ケース７２の軸線方向に対して略直交している。
【００３０】
分草フレーム７４は、分草板３１と同数の管状部材で構成され、それらが左右方向に間隔を設けて並べられている。分草フレーム７４を構成する管状部材は、前後方向に沿って延在し、その前端部に分草板３１が取り付けられている。分草フレーム７４の下方には、左右方向に延在したフレームパイプ７５が接続されている。フレームパイプ７５は、分草フレーム７４を構成する六本の管状部材を連結している。フレームパイプ７５は、横伝動ケース７３の前斜下方に配置されている。
【００３１】
横伝動ケース７３の左端部には、引起縦伝動ケース７６が接続されている。引起縦伝動ケース７６は、その上端部が下端部よりも前方に位置するように水平を基準に後傾（垂直を基準に前傾）姿勢で起立している。引起縦伝動ケース７６の中間部には、後述する左穂部搬送機構（図示せず）を支持する左搬送駆動ケース（図示せず）が接続されている。横伝動ケース７３の右端部には、上下方向に沿って延在した縦連結フレーム７７（図２参照）が接続されている。引起横伝動ケース７８は、左右方向に沿って延在し、引起縦伝動ケース７６の上端部と縦連結フレーム７７の上端部との間に架け渡されている。
【００３２】
引起横伝動ケース７８には、引起駆動ケース７９が連結されている。引起駆動ケース７９は、五条分となる五本の管状部材により構成され、それらが左右方向に間隔を設けて並べられている。引起横伝動ケース７８には、各引起駆動ケース７９を構成する管状部材の上端部が接続されている。各引起ケース３６は、引起駆動ケース７９と分草フレーム７４とによって支持されている。
【００３３】
横伝動ケース７３の中間部には、中搬送駆動ケース８０が接続されている。中搬送駆動ケース８０は、その上端部が下端部よりも前方に位置するように水平を基準に後傾（垂直を基準に前傾）姿勢で起立している。中搬送駆動ケース８０の軸線方向は、鉛直方向に対して引起縦伝動ケース７６よりも大きく傾いている。中搬送駆動ケース８０は、分草フレーム７４に接続された支持フレーム８４と共に、下部搬送装置６１（を構成する一つの搬送機構）を下方から支持している。中搬送駆動ケース８０の上方には、中央穂部搬送機構６０Ｃに接続された上部搬送駆動ケース８５が設けられている。
【００３４】
刈取フレーム７０は、前後方向に延在した上部センターフレーム８６を含む。上部センターフレーム８６の後端部は、刈取入力ケース７１の中間部に接続されている。上部センターフレーム８６の前端部は、引起横伝動ケース７８の中間部に接続されている。上部センターフレーム８６は、搬送装置３５及び縦伝動ケース７２の上方に配置されている。
【００３５】
刈取入力ケース７１には、刈取入力軸７１ａが収容されている。刈取入力軸７１ａの左端部には、エンジン２１の動力が入力される入力プーリ８７が固定されている。また、刈取入力軸７１ａには、縦伝動ケース７２に収容された縦伝動軸（図示せず）の上端部が連動連結されている。これらの他にも、刈取フレーム７０を構成する各ケース及びパイプには、動力伝達機構を構成する軸やギヤが収容されている。詳細は省略するが、引起装置３２、掻込装置３３、切断装置３４及び搬送装置３５には、その動力伝達機構を介して刈取入力軸７１ａから取り出された動力が伝達される。
【００３６】
［縦搬送装置］
図４〜図１１に示すように、縦搬送装置６２は、穀稈を搬送する無端搬送部６２０と、挟扼ガイドレール６２１と、挟扼ガイドレール６２１を支持する支持部６２２と、挟扼ガイドレール６２１を付勢するバネ６２３と、を有する。無端搬送部６２０は、上下一対の突起６２０ｂを複数有する無端チェーン６２０ａを有し、複数の突起６２０ｂの間に穀稈が挟まれた状態で無端チェーン６２０ａが回転することにより、所定の搬送方向Ｘ１へ穀稈を搬送する。無端チェーン６２０ａは、図示しない動力伝達機構から動力を受けて回転する。図６に示すように、無端搬送部６２０及び支持部６２２は固定フレーム６２４に支持されている。無端搬送部６２０及び支持部６２２が固定フレーム６２４に支持されていることにより、無端搬送部６２０と支持部６２２の位置関係が規定される。
【００３７】
挟扼ガイドレール６２１は、無端搬送部６２０に近づく近位側Ｙ１及び無端搬送部６２０から遠ざかる遠位側Ｙ２に沿ってスライド移動可能に支持部６２２によって支持される。詳細は後述するが、バネ６２３は、挟扼ガイドレール６２１が後述する作用位置に位置するときに、支持棒６２１ｃを介して挟扼ガイドレール６２１を無端搬送部６２０に向かって付勢する。これにより、上述したように無端搬送部６２０及び挟扼ガイドレール６２１によって穀稈が挟持される。挟扼ガイドレール６２１は無端搬送部６２０に近づく近位側Ｙ１に位置するときに無端搬送部６２０と共に穀稈を挟む作用位置（図５参照）にあり、無端搬送部６２０から遠ざかる遠位側Ｙ２に位置するときに無端搬送部６２０から離間して穀稈に作用しない非作用位置（図８参照）に位置している。そして、挟扼ガイドレール６２１は、所定の操作具６２５の操作に伴って作用位置（図４〜６参照）から非作用位置（図７〜１１参照）に移動可能に構成されている。具体的には、操作具６２５が連結され且つ挟扼ガイドレール６２１の非作用位置への移動を規制するストッパ６２６を有する。支持部６２２は、バネ６２３の足場となるベース部材６２７を有する。以降、操作具６２５の操作に伴って挟扼ガイドレール６２１が作用位置から非作用位置へ移動する構成について詳説する。操作具６２５は、挟扼ガイドレール６２１の非作用位置への移動を規制するストッパ６２６に連結されている。操作具６２５は、ストッパ６２６の外側面に沿って延びる基部と、基部から略９０度湾曲して挟扼ガイドレール６２１の移動方向に沿って機体外方に延びる把持部とを備えている。
【００３８】
挟扼ガイドレール６２１は、バネ６２３に挿通される２本の支持棒６２１ｃを備える。支持棒６２１ｃは、支持台６２２の穀稈搬送方向の上流側Ｘ２の端部及び下流側Ｘ１の端部で夫々バネ６２３に挿通されている。図６に示すように、挟扼ガイドレール６２１は、図６に示す側面視にて無端搬送部６２０側が開放されると共に無端搬送部６２０の穀稈搬送方向に沿って延びる横向きＵ字状の第１レール６２１ａと、図５に示すように第１レール６２１ａの先端部内側の下面に固定され且つ上流側Ｘ２からの穀稈を受け取る搬送方向の上流側Ｘ２に向かうほどＹ２方向に湾曲した第２レール６２１ｂと、を有する。支持棒６２１ｃの近位側Ｙ１の端部（以下、第１端部ともいう。）には第１レール６２１ａが取り付けられる。図７に示すように支持棒６２１ｃの遠位側Ｙ２の端部（以下、第２端部ともいう。）は、バネ６２３の足場となるベース部材６２７の挿通孔６２７ｈを通り、ベース部材６２７に対して移動可能に構成されている。図４〜６は、挟扼ガイドレール６２１が最も無端搬送部６２０に近づいた状態を示しており、第１レール６２１ａの一部と第２レール６２１ｂは、上下一対の突起６２０ｂの間に位置することが可能であり、穀稈を複数対の突起６２０ｂの間に押し込むことが可能である。
【００３９】
図７に示すように、ベース部材６２７は、挟扼ガイドレール６２１がスライド移動する方向に沿って移動可能となるように、二本の支持ロッド６２７Ｒを介して支持部６２２に支持されている。図１０及び図１１に示すように、支持棒６２１ｃの中央部よりも近位側Ｙ１には、ピン６２８が固定されている。ベース部材６２７とピン６２８との間には、支持軸６２１ｃに対して軸方向に移動可能な第１リング６２３ａ、第２リング６２３ｂ及びバネ６２３が設けられている。上述の通り、ピン６２８は支持軸６２１ｃに固定されているため、第１リング６２３ａ、第２リング６２３ｂ及びバネ６２３は、ベース部材６２７とピン６２８の間で支持軸６２１ｃの軸方向に沿って移動可能となる。
【００４０】
バネ６２３は、自由長がベース部材６２７とピン６２８の間の長さよりも長い。バネ６２３は第１リング６２３ａと第２リング６２３ｂの間に配置されており、挟扼ガイドレール６２１が作用位置に位置するとき及び挟扼ガイドレール６２１が非作用位置に位置するときの双方において第１リング６２３ａはバネ６２３によってピン６２８に圧接され、第２リング６２３ｂはバネ６２３によってベース部材６２７に圧接されている。
【００４１】
ストッパ６２６は、平面視コ字状をなし、支持部６２２の近位側Ｙ１の端部にて軸Ｃ１回りに回転可能に取り付けられている。ストッパ６２６は、ベース部材６２７の外面に密接して挟扼ガイドレール６２１を作用位置に保持させる（作用位置から非作用位置への移動を規制する）規制位置と、挟扼ガイドレール６２１の作用位置から非作用位置への移動を規制しない非規制位置との間で回転可能に構成される。ストッパ６２６を規制位置にて固定する際には、支持部６２２の遠位側Ｙ２の端部でボルトＶ１を締結することにより、ストッパ６２６と支持部６２２とを固結する。なお、ストッパ６２６に作用するバネ６２３の反発力は軸Ｃ１で受け止めているため、ボルトＶ１に対してせん断力が作用せず、そのため、ボルトＶ１を取り外す際に容易に取り外すことが可能である。
【００４２】
ストッパ６２６が規制位置に位置し、且つ、挟扼ガイドレール６２１が作用位置に位置するとき、バネ６２３は、ベース部材６２７を足場としてリング６２３ｂをピンに圧接させる。当該構成により、無端搬送部６２０と挟扼ガイドレール６２１の間で挟持される穀稈の量が少ないときは、バネ６２３が第１リング６２３ａ及びピン６２８を押し、支持棒６２１ｃ及び挟扼ガイドレール６２１が無端搬送部６２０に近づき、穀稈を挟持する。無端搬送部６２０と挟扼ガイドレール６２１の間で挟持される穀稈の量が多くなれば、ピン６２８が第1リング６２３ａ及びバネ６２３を押し、バネ６２３が縮みながら支持棒６２１ｃが遠位側Ｙ２へ移動する。すなわち、無端搬送部６２０と挟扼ガイドレール６２１とにより穀稈の量に応じて適切に挟持される。
【００４３】
無端搬送部６２０と挟扼ガイドレール６２１の間に穀稈が詰まった場合には、バネ６２３は縮まった状態にあり、操作具６２５を操作してストッパ６２６を規制位置から非規制位置に移動させれば、バネ６２３はピン６２８を足場にベース部材６２７を押し、ベース部材６２７が遠位側Ｙ２に移動し、バネ６２３がピン６２８を介して挟扼ガイドレール６２１を近位側Ｙ１へ付勢しなくなる。これにより挟扼ガイドレール６２１が非作用位置に移動したことになる。すなわち、図７〜図１１に示す非作用位置に挟扼ガイドレール６２１がある場合は、挟扼ガイドレール６２１が最も無端搬送部６２０に近づいた状態で無端搬送部６２０と挟扼ガイドレール６２１が重ならず、無端搬送部６２０と挟扼ガイドレール６２１とで穀稈を挟むことができない。
【００４４】
図６及び図９に示すように、ボルトＶ１をストッパ６２６のボルト孔６２６ｈ及び支持部６２２のボルト孔６２２ｈから取り外し、操作具６２５を把持して操作具６２５及びストッパ６２６を下方に回転させれば、ストッパ６２６とベース部材６２７の接触が解除され、ベース部材６２７が遠位側Ｙ２へ移動し、挟扼ガイドレール６２１が非作用位置に移動する。
【００４５】
無端搬送部６２０と挟扼ガイドレール６２１の間に詰まった穀稈を除去した後、図９に示す非作用位置にある挟扼ガイドレール６２１を作用位置（図６参照）に戻すためには、ベース部材６２７を近位側Ｙ１へ移動させ、ベース部材６２７の遠位側Ｙ２にストッパ６２６を配置すればよい。この操作を容易にするために、ベース部材６２７は、上方から下方に向けて遠位側Ｙ２から近位側Ｙ１に延び、ストッパ６２６を案内する案内部６２７ａを有する。案内部６２７ａにストッパ６２６を接触させれば、ストッパ６２６を上方に向けて回転させるだけでベース部材６２７が近位側Ｙ１へ押され、ストッパ６２６がベース部材６２７の遠位側Ｙ２に戻る。
【００４６】
支持部６２２は、無端搬送部６２０に対する挟扼ガイドレール６２１の位置を調整可能に固定フレーム６２４に取り付けられている。本実施形態では、挟扼ガイドレール６２１の位置を上方Ｚ１及び下方Ｚ２、近位側Ｙ１及び遠位側Ｙ２の両方向に調整可能に構成されているが、いずれか一方だけでもよい。このように構成すれば、組み付け誤差が生じても調整可能となる。
【００４７】
無端搬送部６２０に対する挟扼ガイドレール６２１の上方Ｚ１及び下方Ｚ２に沿った位置調節（首振り調節）は、図１１に示すように、固定フレーム６２４のブラケット６２４ａと、支持部本体６２２ｂのブラケット６２２ｃとがボルトＶ３により固定されることによって実現されている。支持部本体６２２ｂと固定される側面視コ字状のブラケット６２２ｃの側面には、上下方向Ｚに沿った長孔６２２ｄが形成されている。固定フレーム６２４に固定されるブラケット６２４ａには、長孔６２２ｄに対応するねじ溝が形成されている。図１１では、ブラケット６２４ａのねじ溝に挿入されるボルトＶ３の締結位置によって首振り調節が可能となる。
【００４８】
無端搬送部６２０に対する挟扼ガイドレール６２１の近位側Ｙ１及び遠位側Ｙ２に沿った位置調整は、図１０に示すように、支持部本体６２２ｂに近位側Ｙ１及び遠位側Ｙ２に沿った長孔６２２ｅが２つ形成されており、図１１に示すブラケット６２２ｃの上面に形成されたねじ溝に挿入するボルトＶ２の締結位置によって無端搬送部６２０と挟扼ガイドレール６２１の遠近距離を調節可能である。
【００４９】
以上のように本実施形態のコンバインは、
穀稈を搬送する搬送装置（６２）を有する。
搬送装置（６２）は、
穀稈を搬送する無端搬送部６２０と、
無端搬送部６２０と共に穀稈を挟む作用位置と、無端搬送部６２０から離間する非作用位置とに移動可能な挟扼ガイドレール６２１を支持する支持部６２２と、
無端搬送部６２０を支持する固定フレーム６２４と、を有する。
支持部６２２は、無端搬送部６２０に対する挟扼ガイドレール６２１の位置を調節可能に固定フレーム６２４に取り付けられる。
挟扼ガイドレール６２１は、所定の操作具６２５の操作に伴って作用位置から非作用位置に移動可能に構成されている。
【００５０】
この構成によれば、穀稈の詰まりが生じた場合に操作具６２５を操作するだけで、挟扼ガイドレール６２１が無端搬送部６２０から離れるので、挟扼ガイドレール６２１を完全に取り外す場合に比べてメンテナンスが容易となる。それでいて、無端搬送部６２０に対する挟扼ガイドレール６２１の位置を調整可能であるので、組み付け誤差を解消するように調整可能となる。
【００５１】
本実施形態では、操作具６２５が連結され且つ挟扼ガイドレール６２１の非作用位置への移動を規制するストッパ６２６を備える。ストッパ６２６は支持部６２２に回転可能に支持されている。ストッパ６２６を支持部６２２に対して回転移動させることに伴って挟扼ガイドレール６２１が作用位置から非作用位置に移動可能になる。
【００５２】
この構成によれば、ストッパ６２６を回転させることで挟扼ガイドレール６２１が非作用位置に移動するので、ストッパ６２６を挟扼ガイドレール６２１の移動方向に沿って移動させる場合には付勢力に抗するために大きな操作力が必要となるが、回転動作であれば、付勢力とは異なる方向に移動させることが多いので、小さな操作力で操作可能となる。
【００５３】
本実施形態では、挟扼ガイドレール６２１を無端搬送部６２０に向けて付勢するバネ６２３と、バネ６２３の足場となるベース部材６２７と、を有する。ストッパ６２６は、ベース部材６２７よりも無端搬送部６２０から遠ざかる遠位側Ｙ２に位置することで、挟扼ガイドレール６２１の非作用位置への移動を規制する。ベース部材６２７は、挟扼ガイドレール６２１が非作用位置から作用位置への復帰する際に、ストッパ６２６をベース部材６２７の遠位側Ｙ２に案内する案内部６２７ａを有する。
【００５４】
この構成によれば、案内部６２７ａにストッパ６２６を接触させれば、ストッパ６２６を上方に向けて回転させるだけでベース部材６２７が近位側Ｙ１へ押され、ストッパ６２６がベース部材６２７の遠位側Ｙ２に戻る。よって、操作が容易となる。
【００５５】
本実施形態では、刈取部が五条刈用に構成されている例を示したが、これに限られない。したがって、本開示に係るコンバインは、例えば四条刈用または六条刈用に構成されていてもよい。
【００５６】
本開示は、上述した実施形態に何ら限定されるものではなく、本開示の趣旨を逸脱しない範囲内で種々の改良変更が可能である。
【符号の説明】
【００５７】
１        コンバイン
６２      縦搬送装置（搬送装置）
６２０    無端搬送部
６２１    挟扼ガイドレール
６２２    支持部
６２３    バネ
６２４    固定フレーム
６２５    操作具
６２６    ストッパ
６２７    ベース部材
６２７ａ  案内部
【図１】
2020080721.tif 000003
【図２】
2020080721.tif 000004
【図３】
2020080721.tif 000005
【図４】
2020080721.tif 000006
【図５】
2020080721.tif 000007
【図６】
2020080721.tif 000008
【図７】
2020080721.tif 000009
【図８】
2020080721.tif 000010
【図９】
2020080721.tif 000011
【図１０】
2020080721.tif 000012
【図１１】
2020080721.tif 000013